(57)【要約】【課題】ティッシュペーパーを取り出す際の操作性を良好にするとともに、取り出したティッシュペーパーの使い勝手を高めた携帯用ティッシュペーパー包装体を提供することを目的とする。【解決手段】包装体の一方の側端部近傍部位にティッシュペーパー４の取出口を形成し、該取出口から積層されたティッシュペーパー４の複数枚の折り目を露出させて、一度に必要枚数分を取り出し可能とした携帯用ティッシュペーパー包装体を基本手段としている。また、ティッシュペーパー４の取出口を、包装体１の側端部から該包装体１の幅方向寸法の略４分の１以下の範囲内に形成し、ティッシュペーパー４の取出口として、上記包装体１の一方の側端部近傍部位に、該包装体の長手方向に沿って切込部としての破線切込部３を形成してある。或いは包装体１を構成する袋体材料の重ね合わせ部１ａを設けてある。【選択図】　　　図１
2004049326.tif 000002
【特許請求の範囲】
【請求項１】
可撓性を有する袋体を扁平な筒状にして包装体を形成し、該包装体の内部に積層されたティッシュペーパーの束体を収納して、左右両端の重合部を固着することにより構成した携帯用ティッシュペーパー包装体において、
該包装体の一方の側端部近傍部位にティッシュペーパーの取出口を形成し、該取出口から積層されたティッシュペーパーの複数枚の折り目を露出させて、一度に必要枚数分を取り出し可能としたことを特徴とする携帯用ティッシュペーパー包装体。
【請求項２】
ティッシュペーパーの取出口を、包装体の側端部から該包装体の幅方向寸法の略４分の１以下の範囲内に形成した請求項１記載の携帯用ティッシュペーパー包装体。
【請求項３】
ティッシュペーパーの取出口として、上記包装体の一方の側端部近傍部位に、該包装体の長手方向に沿って切込部を形成した請求項１又は２記載の携帯用ティッシュペーパー包装体。
【請求項４】
ティッシュペーパーの取出口として、上記包装体の一方の側端部近傍部位に、該包装体を構成する袋体材料の重ね合わせ部を設けた請求項１又は２記載の携帯用ティッシュペーパー包装体。
【請求項５】
包装体の内部に収納されたティッシュペーパーは、包装体の幅方向に沿う折り目と、包装体の長手方向に沿う折り目とにより四つ折りとして折り畳まれていることを特徴とする請求項１，２，３又は４に記載の携帯用ティッシュペーパー包装体。
【請求項６】
包装体の内部に収納されたティッシュペーパーは、取出してから一度広げて二つ折りにした際に人間の手のひらサイズになるように設定した請求項５に記載の携帯用ティッシュペーパー包装体。
【発明の詳細な説明】
【０００１】
【発明の属する技術分野】
本発明は携帯用ティッシュペーパー包装体に関し、特には所定形状に折りたたまれた乾式のティッシュペーパーを積層して収納した袋体から、利用者が使用時に必要とする任意枚数のティッシュペーパーを容易に取り出すことを可能として使い勝手を高めた包装体に関するものである。
【０００２】
【従来の技術】
従来から乾式のティッシュペーパーの束体を一枚毎に繰り出し可能に折り畳み、水分不透過性の袋体に収納した携帯用ティッシュペーパー包装体が主に街頭で頒布されたり、ノベルティとして利用に供されている。これらの包装体は、図８に示したように可撓性及び水分不透過性の袋体を扁平な筒状にして包装体を形成し、この包装体１の内部にティッシュペーパーの束体を収納して、左右の重合部分を熱圧着部２，２により固着封止し、取出口として包装体１の長手方向に沿う略中央部にミシン目等の破線切込部３を形成したものが一般的に用いられている。
【０００３】
【発明が解決しようとする課題】
しかしながら、従来のティッシュペーパー包装体は、包装体１の長手方向に沿う略中央部に破線切込部３が形成されているため、該包装体１から必要とする枚数のティッシュペーパーを取り出すには、利用者が破線切込部３を開いてティッシュペーパーを１枚ずつ何回も引き抜く動作が必要であって、利用時の操作が煩瑣であるという難点がある。
【０００４】
更に上記包装体１の内部には、ティッシュペーパー４を１枚ずつ取り出すことを目的として図９に示すように長手方向と幅方向の双方に多数の折り目４ａ，４ｂ，４ｃ，４ｄ，４ｅにより折り畳まれたティッシュペーパー４を積層した束体が収納されているため、使用時にはティッシュペーパー４を必要枚数取り出してから各折り目４ａ，４ｂ，４ｃ，４ｄ，４ｅを広げなければならないという難点があり、又折り畳まれた状態のサイズで使用する場合でも、取り出し時にティッシュペーパー４が拡開して広がるため、これを元のサイズに折り畳む必要が生じる難点があり、煩瑣な動作を必要として使い勝手が必ずしも良好とはいえないという課題がある。
【０００５】
そこで本発明は上記の問題点を解決して、包装体からティッシュペーパーを取り出す際の操作性を良好に、とりわけ包装体に収納された折り畳まれた状態のままでの取り出しを可能とするとともに、取り出したティッシュペーパーの使い勝手を高めて、各種ノベルティとして用いても有効な携帯用ティッシュペーパー包装体を提供することを目的とするものである。
【０００６】
【課題を解決するための手段】
本発明は上記目的を達成するために、可撓性を有する袋体を扁平な筒状にして包装体を形成し、該包装体の内部に積層されたティッシュペーパーの束体を収納して、左右両端の重合部を固着することにより構成した携帯用ティッシュペーパー包装体において、該包装体の一方の側端部近傍部位にティッシュペーパーの取出口を形成し、該取出口から積層されたティッシュペーパーの複数枚の折り目を露出させて、一度に必要枚数分を取り出し可能とした携帯用ティッシュペーパー包装体を基本手段として提供する。
【０００７】
また、ティッシュペーパーの取出口を、包装体の側端部から該包装体の幅方向寸法の略４分の１以下の範囲内に形成した構成、ティッシュペーパーの取出口として、上記包装体の一方の側端部近傍部位に、該包装体の長手方向に沿って切込部を形成した構成、上記包装体の一方の側端部近傍部位に、該包装体を構成する袋体材料の重ね合わせ部を設けた構成を提供する。
【０００８】
包装体の内部に収納されたティッシュペーパーは、包装体の幅方向に沿う折り目と、包装体の長手方向に沿う折り目とにより四つ折りとして折り畳まれており、取出してから一度広げて二つ折りにした際に使用に最も適した人間の手のひらサイズになるように設定されている。
【０００９】
かかる包装体によれば、ティッシュペーパーの使用時に利用者が包装体の長手方向に沿う側端部近傍部位に形成された切込部を破断することによって、或いは重ね合わせ部を押し広げることによって取出口が形成され、該取出口からは積層されたティッシュペーパーの複数枚の折り目が露出しているため、ティッシュペーパーを一度に必要枚数分だけ選択して取り出して使用に供することができる。このティッシュペーパーは四つ折りとして折り畳まれていて、取出してから一度広げるだけで使用に適した手のひらサイズとなり、取り出したティッシュペーパーの使い勝手が高められる。
【００１０】
【発明の実施の形態】
以下図面に基づいて本発明にかかる携帯用ティッシュペーパー包装体の具体的な実施形態を、収納物として乾式のティッシュペーパーを用いた例に基づいて説明する。図１は本発明に係る包装体の第１の実施形態を示す斜視図、図２は図１のＡ−Ａ線に沿う断面図、図３はティッシュペーパー４を折り畳んだ状態の斜視図である。図中の１は可撓性を有する袋体を扁平な筒状にして形成した包装体であり、この包装体１の内部にティッシュペーパー４の束体を収納して、左右の重合部分が熱圧着部２，２により固着封止されている。
【００１１】
包装体１の素材としては水分不透過性を有するもの、或いは水洗適性を有するもの等が使用可能であり、ＰＥ，ＣＰＰ，ＯＰＰ，ＮＹ，ＰＥＴ等の熱融着性合成樹脂フィルム又はＰＶＡ，水解性不織布，熱融着性不織布が利用可能である。作製時には可撓性を持つ袋体材料を用いて重ね合わせ部１ａを設けながら扁平な筒状に形成し、左右両端の重合部を熱融着等により固着封止して前記熱圧着部２，２を形成する。
【００１２】
本実施形態例では、ティッシュペーパー４の取出口として、上記包装体１の一方の側端部近傍部位に、該包装体１の長手方向に沿って切込部としてミシン目等の破線切込部３を形成したことが大きな特徴となっている。破線切込部３の位置は包装体１の一方の側端部近傍部位にあればよいが、具体的には図２の矢印Ｘに示すように、包装体１の側端部から該包装体１の幅方向寸法の略４分の１以下の範囲内に形成されていることが好ましい。略４分の１以下の範囲内であれば、裏面でもよく、又側端部に形成してもよい。なお、切込部は取出口を形成できる構成であればよく、破線切込部３に替えて切込部として包装体１の肉厚方向にハーフスリット部（図示略）を切り込み形成するようにしてもよい。
【００１３】
図３に示したように、包装体１の内部に収納されたティッシュペーパー４は、包装体１の幅方向に沿う折り目４ｂと、包装体１の長手方向に沿う折り目４ａとにより、全体として四つ折りとして折り畳まれている。そして該ティッシュペーパー４を取出してから一度広げて二つ折りにした際に、丁度人間の手のひらサイズになるように設定されているため、そのまま各種用途に使用することができて使い勝手に優れている。
【００１４】
かかる第１の実施形態によれば、ティッシュペーパー４の使用時には、図４に示したように利用者が包装体１の長手方向に沿う側端部近傍部位に形成された破線切込部３を破断して取出口を作り、該取出口から積層されたティッシュペーパーの複数枚の折り目が露出しているため、包装体１の内方に四つ折りにして収納されたティッシュペーパー４を一度に必要枚数分だけ取り出して使用に供することができる。前記したようにティッシュペーパー４は折り目４ａと折り目４ｂとにより四つ折りとして折り畳まれていて、取出してから一度広げて二つ折りにすることによって使用に適した手のひらサイズになるため、取り出したティッシュペーパー４を広げる動作は最小限となって操作が簡易化されるという特徴がある。実施例としては縦２０ｃｍ×横１５ｃｍのティッシュペーパーを、先ず幅方向の中心線を基準として半分に折り、次に長手方向の中心線を基準として約半分に折りたたむことにより、縦１０ｃｍ×横７．５ｃｍに折りたたまれたティッシュペーパーを積層して包装体１に収納した。この折り方によれば、折りたたみ時の面積は通常使用されているティッシュペーパーと概ね同一面積でありながら、折りたたみ前のティッシュペーパーの面積が通常使用されているサイズ（縦２１ｃｍ×横２０ｃｍ）の略３分の２程度で済むため、コストダウンにもつながる。
【００１５】
図５は本発明に係る携帯用ティッシュペーパー包装体の第２の実施形態を示す斜視図、図６は図５のＢ−Ｂ線に沿う断面図、図７は同使用時の態様例を示す断面図である。基本的な構成は第１の実施例と同一であるため、同一の符号を付して表示してある。第２の実施形態では包装体１の内部にティッシュペーパー４の束体を収納して、左右の重合部分が熱圧着部２，２により固着封止されている構成は第１の実施形態と一致しており、本第２の実施形態では上記包装体１の一方の側端部近傍部位に包装体１を構成する袋体材料の重ね合わせ部１ａを設けてティッシュペーパー４の取出口としたことが特徴となっている。その他の構成は第１の実施形態と一致している。
【００１６】
かかる第２の実施形態によれば、ティッシュペーパー４の使用時には、図７に示したように利用者が包装体１の長手方向に沿う側端部近傍部位に形成された重ね合わせ部１ａを開いて取出口を作り、該取出口から積層されたティッシュペーパーの複数枚の折り目が露出しているため、包装体１の内方に四つ折りにして収納されたティッシュペーパー４を一度に必要枚数分だけ選択して取り出して使用に供することができる。前記したようにティッシュペーパー４は四つ折りとして折り畳まれているので、取出してから一度広げて二つ折りにすることによって使用に適した手のひらサイズになり、第１実施形態と同様にティッシュペーパー４を広げる動作は最小限となって操作を簡易化することができる。
【００１７】
以上説明した実施形態例では、収納物として乾式のティッシュペーパーを用いた例であるが、これ以外にも柔軟保湿剤成分を含んだ保湿ティッシュペーパー、メントール多孔性粉体を付着又は配合した清涼パウダー入りティッシュペーパー、香料を含んだティッシュペーパー等の機能性ティッシュペーパー、或いは使い捨てハンカチ等にも適用することができる。
【００１８】
【発明の効果】
以上詳細に説明したように、本発明にかかる携帯用ティッシュペーパー包装体は、利用者が包装体の長手方向に沿う側端部近傍部位に形成された破線切込部を破断することによって得られる取出口から積層されたティッシュペーパーの複数枚が露出しているため、ティッシュペーパーを一度に必要枚数分だけ取り出して使用に供することができるので、複数枚を取り出す際に従来のようにティッシュペーパーを１枚ずつ何回も引き抜く動作は不要であって操作性を良好にすることができる。
【００１９】
更にティッシュペーパーは折り目により四つ折りとして折り畳まれているので、使用に適した手のひらサイズにするため、取り出したティッシュペーパーを広げて折り直す必要がなく、一度広げるだけでよい。
【００２０】
従って本発明によれば、包装体からティッシュペーパーの複数枚を選択して取り出す際の操作性を良好にするとともに、取り出したティッシュペーパーの使い勝手を高めて、各種ノベルティとして用いても有効な携帯用ティッシュペーパー包装体を提供することができる。
【図面の簡単な説明】
【図１】本発明に係る包装体の第１の実施形態を示す斜視図。
【図２】図１のＡ−Ａ線に沿う断面図。
【図３】ティッシュペーパーを折り畳んだ状態を示す斜視図。
【図４】使用時の態様例を示す断面図。
【図５】本発明に係る包装体の第２の実施形態を示す斜視図。
【図６】図５のＢ−Ｂ線に沿う断面図。
【図７】使用時の態様例を示す断面図。
【図８】従来の包装体の具体例を示す斜視図。
【図９】従来のティッシュペーパー例を示す斜視図。
【符号の説明】
１…包装体
１ａ…重ね合わせ部
２…熱圧着部
３…破線切込部
４…ティッシュペーパー
４ａ，４ｂ…折り目
整理番号　Ｐ３４６５
【図１】
2004049326.tif 000003
【図２】
2004049326.tif 000004
【図３】
2004049326.tif 000005
【図４】
2004049326.tif 000006
【図５】
2004049326.tif 000007
【図６】
2004049326.tif 000008
【図７】
2004049326.tif 000009
【図８】
2004049326.tif 000010
【図９】
2004049326.tif 000011